(57)【要約】【課題】水抜き構造を有し、容易に製造することができる水洗式大便器を提供する。【解決手段】水洗式大便器は、上部に洗浄水が吐水される吐水口１１Ａが形成された便鉢部１０と、この便鉢部１０の下流側に連通し、便鉢部１０よりも後方に延びたトラップ排水路３０と、トラップ排水路３０よりも上方であって便鉢部１０よりも後方に設けられ、吐水口１１Ａに連通しており、便器洗浄を実行した際に吐水口１１Ａに供給される洗浄水が流通する導水部５０と、この導水部５０の下面５０Ａに流入口７１が形成され、便鉢部１０の外面に沿って延びており、便鉢部１０の溜水面Ｒより下方に流出口７９が形成された水抜き通路７０とを備えている。【選択図】図１
2019210742.tif 000002
【特許請求の範囲】
【請求項１】
上部に洗浄水が吐水される吐水口が形成された便鉢部と
この便鉢部の下流側に連通し、前記便鉢部よりも後方に延びたトラップ排水路と、
前記トラップ排水路よりも上方であって前記便鉢部よりも後方に設けられ、前記吐水口に連通しており、便器洗浄を実行した際に前記吐水口に供給される洗浄水が流通する導水部と、
この導水部の下面に流入口が形成され、前記便鉢部の外面に沿って延びており、前記便鉢部の溜水面より下方に流出口が形成された水抜き通路と、
を備えていることを特徴とする水洗式大便器。
【請求項２】
前記吐水口は前記便鉢部の後側の左右中央の上部に開口しており、
前記流入口は少なくとも一部が前記導水部の下面の左右中央部に開口していることを特徴とする請求項１に記載の水洗式大便器。
【請求項３】
前記流入口は前記導水部の下面の最下部に開口していることを特徴とする請求項１又は２に記載の水洗式大便器。
【請求項４】
前記水抜き通路は前記便鉢部の左右方向を向いた外面に上下方向に延びていることを特徴とする請求項１乃至３のいずれか１項に記載の水洗式大便器。
【請求項５】
前記水抜き通路は前記便鉢部の下方に延びた前記トラップ排水路の上流端部の左右方向を向いた外面に沿ってこの外面より外側に突出して上下方向に延びていることを特徴とする請求項１乃至４のいずれか１項に記載の水洗式大便器。
【請求項６】
左右方向に延びる前記水抜き通路は下側の外面が前方に向けて下方に傾斜していることを特徴とする請求項１乃至４のいずれか１項に記載の水洗式大便器。
【請求項７】
前記水抜き通路は前記流入口の開口面積よりも前記流出口の開口面積の方が大きいことを特徴とする請求項１乃至６のいずれか１項に記載の水洗式大便器。
【請求項８】
前記水抜き通路の前記流出口から流出した洗浄水が前記トラップ排水路の流入部における洗浄水の旋回流を補助することを特徴とする請求項１乃至７のいずれか１項に記載の水洗式大便器。
【発明の詳細な説明】
【技術分野】
【０００１】
本発明は水洗式大便器に関するものである。
【背景技術】
【０００２】
特許文献１は従来の水洗式大便器を示している。この水洗式大便器は、便鉢部、リム通水路、トラップ排水路、及び水抜き通路を備えている。便鉢部は上部に洗浄水が吐水される吐水口が形成されている。リム通水路は便鉢部の上部の外周に設けられている。このリム通水路の下流端は便鉢部に形成された吐水口に連通している。この水洗式大便器は、便器洗浄を実行した際、リム通水路を流れた洗浄水が吐水口から便鉢部内へ吐水される。トラップ排水路は、便鉢部の下流側に連通し、便鉢部よりも後方に延びている。トラップ排水路は、下降流路、上昇流路、及び横引き流路を有している。水抜き通路はトラップ排水路の外面よりも内側で上昇流路に沿って略鉛直方向に延びている。水抜き通路の流入口は便鉢部より後方に位置するリム通水路の下面に形成されている。また、水抜き通路の流出口は上昇流路の溜水面よりも下方に形成されている。
【０００３】
この水洗式大便器は、便器洗浄を実行すると、リム通水路よりも上流に設けられた開閉弁が開閉して所定の水量の洗浄水をリム通水路に供給する。この便器洗浄の際、開閉弁が閉弁すると、リム通水路内の水位が低下し、リム通水路を流れる洗浄水の勢いが弱くなる。そして、リム通水路を流れる洗浄水の勢いがある程度弱くなると、この水洗式大便器は、洗浄水が吐水口から吐水されずに水抜き通路の流入口から水抜き通路に流入し、水抜き通路を介して流出口からトラップ排水路内に流出するようになる。このため、この水洗式大便器は、便器洗浄が実行され、開閉弁が閉弁した後に吐水口から僅かな流量の洗浄水が筋状に便鉢部の表面を流下することによって形成される筋状の水垢が便鉢部の表面に形成され難い。
【先行技術文献】
【特許文献】
【０００４】
【特許文献１】特開２０１７−６６６０６号公報
【発明の概要】
【発明が解決しようとする課題】
【０００５】
しかし、特許文献１の水洗式大便器は、水抜き通路がトラップ排水路の外面よりも内側に形成されている。このため、この水洗式大便器を鋳込み成形によって製造する場合、水抜き通路を形成するために先細りした棒状の挿入型が必要になる。このような挿入型を鋳込み工程後に抜き取るため鋳込み工程後において上方が開口した形態の水洗式大便器でなければならない。つまり、このような挿入型を利用する場合、上端を閉鎖する上面部と上面部よりも下方の本体部とを別々に成形しなければならない。このため、上面が本体部と一体に鋳込み成形される水洗式大便器にはこのような挿入型を利用して水抜き通路を形成することができない。また、このような挿入型を採用すると、鋳込み成形用の型が複雑になったり、鋳込み工程が複雑になったりする。
【０００６】
本発明は、上記従来の実情に鑑みてなされたものであって、水抜き構造を有し、容易に製造することができる水洗式大便器を提供することを解決すべき課題としている。
【課題を解決するための手段】
【０００７】
本発明の水洗式大便器は、
上部に洗浄水が吐水される吐水口が形成された便鉢部と、
この便鉢部の下流側に連通し、前記便鉢部よりも後方に延びたトラップ排水路と、
前記トラップ排水路よりも上方であって前記便鉢部よりも後方に設けられ、前記吐水口に連通しており、便器洗浄を実行した際に前記吐水口に供給される洗浄水が流通する導水部と、
この導水部の下面に流入口が形成され、前記便鉢部の外面に沿って延びており、前記便鉢部の溜水面より下方に流出口が形成された水抜き通路と、
を備えていることを特徴とする。
【０００８】
この水洗式大便器は、水抜き通路が便鉢部の外面に沿って延びているため、左右型で水抜き通路等を同時に鋳込み成形することができる。このため、鋳込み成形において上端部を閉鎖する上面部を一体に成形する一体成形の水洗式大便器にもこの水抜き通路を形成することができる。また、この水洗式大便器は、鋳込み成形用の型を少なくでき、鋳込み成形の工程も少なくすることができる。
【０００９】
したがって、この水洗式大便器は、水抜き構造を有し、容易に製造することができる。
【００１０】
また、この水洗式大便器は、導水部よりも上流側に配置された開閉弁が開閉して便器洗浄を実行した際、開閉弁が閉弁し、導水部を流れる洗浄水の勢いがある程度弱くなると、洗浄水が吐水口から吐水されずに水抜き通路の流入口から水抜き通路に流入し、水抜き通路を介して流出口から便鉢部の溜水面よりも下流側に流出するようになる。このため、この水洗式大便器は、便器洗浄が実行され、開閉弁が閉弁した後に吐水口から僅かな流量の洗浄水が筋状に便鉢部の表面を流下することによって形成される筋状の水垢が便鉢部の表面に形成され難い。
なお、上下は水洗式大便器を設置した状態における上下であり、前後は、便鉢部が形成されている側が前、トラップ排水路が形成されている側が後である（以下、同じ。）。
【図面の簡単な説明】
【００１１】
【図１】実施例１の水洗式大便器の上端部を水平面で切断した断面斜視図である。
【図２】実施例１の水洗式大便器の側面図である。
【図３】図２の矢視Ｊ−Ｊ断面図である。
【図４】実施例１の水洗式大便器の要部断面図である。
【図５】図３の矢視Ｋ−Ｋ断面図である。
【図６】図３の矢視Ｌ−Ｌ断面図である。
【図７】図３の矢視Ｍ−Ｍ断面図である。
【図８】図７の矢視Ｎ−Ｎ断面図である。
【図９】実施例２の水洗式便器の便鉢部の前後中間部を左右方向に拡がる垂直面で切断した断面図である。
【図１０】図９の矢視Ｐ−Ｐ断面図である。
【図１１】実施例３の水洗式大便器の断面図である。
【図１２】図１１の矢視Ｑ−Ｑ断面図である。
【図１３】図１２の矢視Ｒ−Ｒ断面図である。
【図１４】図１２の矢視Ｓ−Ｓ断面図である。
【図１５】実施例４の断面図である。
【発明を実施するための形態】
【００１２】
本発明における好ましい実施の形態を説明する。
【００１３】
本発明の水洗式大便器の吐水口は前記便鉢部の後側の左右中央の上部に開口しており、前記流入口は少なくとも一部が前記導水部の下面の左右中央部に開口し得る。この場合、この水洗式大便器は吐水口から水抜き通路の流入口を視認することができる。また、この水洗式便器は、吐水口の近くに水抜き通路の流入口が形成されているため、便器洗浄を実行した際、開閉弁が閉弁した後に導水部を流れる洗浄水の勢いがある程度弱くなると、洗浄水が吐水口から吐水されずに水抜き通路の流入口に確実に流入し、導水部内に残水が残らない。このため、この水洗式便器は、吐水口から残水の無い導水部内が視認され、見た目の良さ（品位）を保つことができる。
なお、左右は、水洗式大便器を設置した状態で、水洗式大便器の前方（便鉢部側）から見た左右である（以下、同じ）。
【００１４】
本発明の水洗式大便器の水抜き通路の流入口は前記導水部の下面の最下部に開口し得る。この場合、この水洗式大便器は、便器洗浄を実行した際、導水部より上流に設けられた開閉弁が閉弁して導水部を流れる洗浄水の勢いがある程度弱くなると、導水部内の洗浄水が流入口に集まり、確実に水抜き通路に流入させることができる。
【００１５】
本発明の水洗式大便器の水抜き通路は前記便鉢部の左右方向を向いた外面に上下方向に延び得る。この場合、この水洗式大便器は、便鉢部の後方を向いた外面と、その外面に対向するトラップ排水路の前方を向いた外面との間隔が狭くても水抜き通路を設けることができる。
【００１６】
本発明の水洗式大便器の水抜き通路は前記便鉢部の下方に延びた前記トラップ排水路の上流端部の左右方向を向いた外面に沿ってこの外面より外側に突出して上下方向に延び得る。この場合、この水洗式大便器は、便鉢部の下方に延びたトラップ排水路の上流端部の後方を向いた外面と、その外面に対向するトラップ排水路の前方を向いた外面との間隔が狭くても水抜き通路を設けることができる。
【００１７】
本発明の水洗式大便器の左右方向に延びる水抜き通路は下側の外面が前方に向けて下方に傾斜し得る。この場合、この水洗式大便器は、左右方向に延びる水抜き通路の内部下面を下流側に向けて下り傾斜させることができるとともに、左右型で水抜き通路等を同時に鋳込み成形することができる。
【００１８】
本発明の水洗式大便器の水抜き通路は前記流入口の開口面積よりも前記流出口の開口面積の方が大きくし得る。この場合、この水洗式大便器は、ラバーカップを利用して水抜き通路の流出口よりも下流側のトラップ排水路内の詰まりを解除する際、トラップ排水路から水抜き通路を逆流して導水部内に流入する汚水を少なくすることができる。
【００１９】
本発明の水洗式大便器は前記水抜き通路の前記流出口から流出した洗浄水が前記トラップ排水路の流入部における洗浄水の旋回流を補助し得る。この場合、この水洗式大便器は、便鉢部からトラップ排水路へ汚物等がスムーズに流入するため、汚物等を確実に排出することができる。
【００２０】
次に、本発明の水洗式大便器を具体化した実施例１〜４について、図面を参照しつつ説明する。
【００２１】
＜実施例１＞
実施例１の水洗式大便器は、図１〜図３に示すように、便鉢部１０、トラップ排水路３０、導水部５０、及び水抜き通路７０を備えている。
便鉢部１０は、上壁部１１、後壁部１３、中間壁部１５、下壁部１７、及び底壁部１９を有している。上壁部１１は便鉢部１０の上部周縁を形成している。この上壁部１１は、上下方向に立ち上がった帯状であり、上方に向けて僅かに外側に傾斜している。また、上壁部１１の上端周縁は上方から見た平面視で略楕円形状である。上壁部１１は後側の左右中央に洗浄水が吐水される吐水口１１Ａが形成されている。この吐水口１１Ａは上壁部１１の後側の左右中央の右側よりも左側に広く拡がっている。このように、この水洗式大便器は便鉢部１０の上部に吐水口１１Ａが形成されている。
【００２２】
後壁部１３は、図２及び図３に示すように、上壁部１１より下方において、便鉢部１０の後面を形成している。つまり、この後壁部１３は上壁部１１の後部の下端から下方に拡がっている。また、後壁部１３は、前方に僅かに膨らんで湾曲しつつ、下方に向けて傾斜が徐々に急になっている。中間壁部１５は、図１〜図３に示すように、上壁部１１より下方において、便鉢部１０の前面及び左右側面を形成している。つまり、中間壁部１５は、上壁部１１の前側及び左右側の下端から内側に向かって緩やかに下方に傾斜して拡がっている。また、中間壁部１５は左右後端が後壁部１３の左右両端の上部に連続している。
【００２３】
下壁部１７は、図１〜図３に示すように、中間壁部１５より内側且つ下側において、便鉢部１０の前面及び左右側面を形成している。つまり、下壁部１７は、上下方向に立ち上がった帯状であり、中間壁部１５の下端から下方に向けて僅かに内側に傾斜している。下壁部１７は左右後端が後壁部１３の左右両端の下部に連続している。底壁部１９は、図２に示すように、下壁部１７の内側且つ下側において、便鉢部１０の底面を形成している。つまり、底壁部１９は、下壁部１７の下端から内側に向けて僅かに下側に傾斜している。底壁部１９は後部にトラップ排水路３０の流入部Ｘが形成されている。
【００２４】
トラップ排水路３０は、図２に示すように、第１下降流路３１、上昇流路３３、横引き流路３５、及び第２下降流路３７を有している。第１下降流路３１は、便鉢部１０の底壁部１９に形成されたトラップ排水路３０の流入部Ｘに上流端部が連続している。つまり、トラップ排水路３０は便鉢部１０の下流側に連通している。第１下降流路３１は、便鉢部１０の下端後部から下方に延びており、下流に向けて後方に湾曲している。第１下降流路３１の下流端部は後方に向けて開口している。
【００２５】
上昇流路３３は第１下降流路３１の下流端部の開口に連続している。上昇流路３３は上方に向けて斜め後方に傾斜している。上昇流路３３の下流端部は後方に向けて開口している。上昇流路３３の前方を向いた外面と、便鉢部１０の後方を向いた外面及び第１下降流路３１の後方を向いた外面とは対向し、その間に隙間が形成されている。横引き流路３５は上昇流路３３の下流端部の開口に連続している。横引き流路３５は後方に向けて延びている。横引き流路３５は内面の下面が下流側（後方）に向けて僅かに下方に傾斜している。横引き流路３５の下流端部は、後方に向けて閉鎖され、下方に向けて開口している。第２下降流路３７は横引き流路３５の下流端部の開口に連続している。第２下降流路３７は鉛直方向に延びている。第２下降流路３７の下流端部は下方に向けて開口している。このように、トラップ排水路３０は便鉢部１０よりも後方に延びている。
【００２６】
導水部５０は、図１及び図２に示すように、便鉢部１０の上壁部１１の後部、底面部５１、左右面部５３、後面部５５、及び上面部５７に囲まれて形成されている。
底面部５１は便鉢部１０の上壁部１１の後部の下端に連続して後方に拡がっている。底面部５１の上面が導水部５０の下面５０Ａを形成している。底面部５１は、上方から見た平面視において、中央前端縁、左右前端縁、左右両端縁、及び後端縁を有している。中央前端縁は便鉢部１０の上端部の後部に沿って湾曲している。左右前端縁は中央前端縁の両端の夫々から左右の外方向に向けて後方に傾斜している。左右両端縁は、左右前端縁の夫々の外側の端部から後方に向けて平行に延びている。後端縁は左右両端縁の夫々の後端を直線状に延びて連結している。底面部５１は左右両端縁から左右中央部５１Ａに向けて下り傾斜した平板状である。つまり、導水部５０の下面５０Ａは左右両端縁から左右中央部５１Ａに向けて下り傾斜している。また、底面部５１は左右中央部５１Ａが前方に向けて僅かに下り傾斜している。つまり、導水部５０の下面５０Ａの左右中央部５１Ａは前方に向けて下り傾斜している。
【００２７】
左右面部５３は、底面部５１の左右前端縁及び左右両端縁から上下方向に立ち上がっており、上方に向けて僅かに外側に拡がっている。また、左右面部５３は便鉢部１０の上壁部１１とほぼ同じ高さを有している。左右面部５３の前端部は、図３に示すように、便鉢部１０の左右端よりも左右方向に拡がっている。後面部５５は、図１に示すように、底面部５１の後端縁から上下方向に略垂直に立ち上がっている。上面部５７は、上方から見た平面視において、底面部５１とほぼ同じ形状である。上面部５７は、導水部５０の上方を塞ぐように、便鉢部１０の上壁部１１の後部、左右面部５３、及び後面部５５の夫々の上端縁に連続している。上面部５７は、水洗式大便器を設置した状態で、上面が水平に拡がるように形成されている。上面部５７は図示しない給水装置から導水部５０内に洗浄水を供給するための開口が形成されている（図示せず）。
【００２８】
導水部５０は、図１に示すように、上面部５７から底面部５１までを貫通する貫通孔を形成する一対の円筒部５９が鉛直方向に延びて上面部５７と底面部５１とを連結している。この一対の円筒部５９は左右中央を対称にした位置に設けられており、貫通孔は所定の間隔を有している。貫通孔は上面部５７上に配置される便座装置等を固定するために利用される。このように、この導水部５０はトラップ排水路３０よりも上方であって便鉢部１０よりも後方に設けられている。また、この導水部５０は、吐水口１１Ａに連通しており、給水装置の開閉弁が開閉して便器洗浄が実行された際、吐水口１１Ａに供給される洗浄水が流通する。
【００２９】
水抜き通路７０の流入口７１は、図１及び図２に示すように、導水部５０の下面５０Ａ（導水部５０を形成する底面部５１の上面）に開口している。詳しくは、水抜き通路７０の流入口７１は、導水部５０の下面５０Ａの左右中央部５１Ａの前端部に開口している。つまり、水抜き通路７０の流入口７１は便鉢部１０の上壁部１１の後部の左右中央のすぐ後ろ側に開口している。このため、水抜き通路７０の流入口７１は吐水口１１Ａを介して便鉢部１０側から視認することができる。また、導水部５０の下面５０Ａの左右中央部５１Ａは前方に向けて下り傾斜しているため、導水部５０の下面５０Ａの左右中央部５１Ａの前端部は導水部５０の下面５０Ａの最下部であり、水抜き通路７０の流入口７１は導水部５０の下面５０Ａの最下部に開口している。
【００３０】
また、水抜き通路７０は、図１〜図３に示すように、上流側通路７３、中間通路７５、及び下流側通路７７によって形成されている。上流側通路７３は、便鉢部１０の後壁部１３の後面の左右方向の中央部であって、後方を向いた外面に沿ってこの外面より外側に突出して上下方向に延びている。この上流側通路７３は、便鉢部１０の後壁部１３の上端から上下方向の中間部（溜水面Ｒよりも上方）まで延びている（図５参照）。
【００３１】
中間通路７５は、図１，図３，図４，図６，及び図７に示すように、上流側通路７３の下端部に連続しており、便鉢部１０の後壁部１３から便鉢部１０の下壁部１７の右側後部の外面に沿ってこの外面より外側に突出して左右方向に延びている。また、この中間通路７５は、溜水面Ｒよりも上方で左右方向に延びている（図３参照）。この中間通路７５は、図２及び図８に示すように、下側の外面７５Ａが前方に向けて下方に傾斜している。このように、下側の外面７５Ａが前方に向けて傾斜しているということは、中間通路７５の内、少なくとも便鉢部１０の後壁部１３の外面に沿って延びている部分において、後壁部１３の外面に向けて下方に傾斜していることになる。また、この中間通路７５の内部下面７５Ｂも、図８に示しように、後壁部１３の外面に向けて下方に傾斜している。中間通路７５をこのような形状にすることによって、内部下面７５Ｂが下流側に向けて下り傾斜させ、左右方向に延びた中間通路７５を有する水抜き通路７０を鋳込み成形することができる。また、この水洗式大便器は、水抜き通路７０の流入口７１から流入した洗浄水が中間通路７５において流出口７９に向けて良好に流れることができる。
【００３２】
下流側通路７７は、図１〜図４に示すように、中間通路７５の下端部に連続しており、便鉢部１０の下壁部１７の右側後部の下部からトラップ排水路３０の第１下降流路３１の上部（溜水面Ｒよりも下方）まで、外面に沿ってこれら外面よりも外側に突出して上下方向に延びている。つまり、下流側通路７７は、便鉢部１０の右方向を向いた外面及びトラップ排水路３０の第１下降流路３１の右方向を向いた外面に沿って延びている。水抜き通路７０の流出口７９は、図２及び図３に示すように、便鉢部１０の溜水面Ｒより下方であって、トラップ排水路３０の第１下降流路３１の上部に開口している。
【００３３】
このような構成を有する水洗式大便器は、図示しない給水装置の開閉弁を開閉して、便器洗浄を実行した際、開閉弁が閉弁し、導水部５０を流れる洗浄水の勢いがある程度弱くなると、洗浄水が吐水口１１Ａから吐水されずに水抜き通路７０の流入口７１から水抜き通路７０に流入し、水抜き通路７０を介して流出口７９から便鉢部１０の溜水面Ｒよりも下流側であってトラップ排水路３０の第１下降流路３１内に流出する。
【００３４】
＜実施例２＞
実施例２の水洗式大便器は、図９及び図１０に示すように、水抜き通路１７０の形態が実施例１と相違する。他の構成は実施例１と同様であり、同様の構成は同一の符号を付して詳細な説明を省略する。
【００３５】
この水洗式大便器の水抜き通路１７０は、流入口１７１が便鉢部１０の上壁部１１の後面の下端縁に沿って、導水部５０の下面５０Ａに開口している。より詳しくは、この流入口１７１は導水部５０の下面５０Ａの左右中央部５１Ａより僅かに左側から流出口７９の上方まで左右方向に延びている。また、この流入口１７１は少なくとも一部が導水部５０の下面５０Ａの左右中央部５１Ａに開口している。つまり、この流入口１７１は導水部５０の下面５０Ａの最下部に開口している。このように流入口１７１を左右方向に長く形成し、導水部４０の下面５０Ａの最下部に開口させることによって、便器洗浄を実行した際、図示しない給水装置の開閉弁が閉弁し、導水部５０を流れる洗浄水の勢いがある程度弱くなると、洗浄水が確実に流入口１７１に流入し、吐水口１１Ａから吐水されないようにすることができる。
【００３６】
この水抜き通路１７０は上流側通路１７３及び下流側通路１７７によって形成されている。上流側通路１７３は、左右壁１７４、下壁１７６、及び後壁１７８を有している。左右壁１７４は流入口１７１の左右両端から下方に延びている。下壁１７６は、各左右壁１７４の下端部を連通し左右方向に延びている。後壁１７８は左右壁１７４及び下壁１７６の後端に連続して上流側通路７３の後方を閉じている。この上流側通路１７３は、便鉢部１０の後壁部１３の後面及び便鉢部１０の下壁部１７の右側後部の外面より外側に突出している。また、この上流側通路１７３の下壁１７６は下側の外面１７６Ａが前方に向けて下方に傾斜している。このような形状の上流側通路７３を鋳込み成形することによって、上流側通路１７３の内部下面１７６Ｂが下流側に向けて下り傾斜させることができる。この上流側通路１７３は、右壁１７４の内側に沿って下流側通路１７７に連通する連通口１７３Ａが形成されている。
【００３７】
下流側通路１７７は、上流側通路１７３の連通口１７３Ａに連続しており、便鉢部１０の下壁部１７の右側後部の上部からトラップ排水路３０の第１下降流路３１の上部（溜水面Ｒよりも下方）まで、外面に沿ってこれら外面よりも外側に突出して上下方向に延びている。つまり、下流側通路７７は、便鉢部１０の右方向を向いた外面及びトラップ排水路３０の第１下降流路３１の右方向を向いた外面に沿って延びている。水抜き通路１７０の流出口７９は、便鉢部１０の溜水面Ｒより下方であって、トラップ排水路３０の第１下降流路３１の上部に開口している。
【００３８】
＜実施例３＞
実施例３の水洗式大便器は、図１１及び図１２に示すように、便鉢部２１０が上端縁から外方向に延びる鍔部２１２を有している点、吐水口２１１Ａが上壁部１１の左右中央よりも左側の後部に形成されている点、トラップ排水路２３０が壁排水用に形成されている点、導水部２５０より後方に図示しない洗浄タンクを設置するタンク設置部２６０を備えている点、及び水抜き通路２７０が便鉢部１０の後壁部１３の後面の左右方向の中央部に上下方向に延びている点が実施例１等と相違する。実施例１等同様の構成は同一の符号を付して詳細な説明を省略する。
【００３９】
吐水口２１１Ａは略横長四角形状である。吐水口２１１Ａは上縁及び下縁が前方（図１１において左方向）に向けて上方に傾斜している。トラップ排水路２３０は、図１１に示すように、第１下降流路２３１、上昇流路２３３、第２下降流路２３５、及び横引き流路２３７を有している。第１下降流路２３１は、便鉢部２１０の底壁部１９に形成されたトラップ排水路２３０の流入部Ｘに上流端部が連続している。つまり、トラップ排水路２３０は便鉢部２１０の下流側に連通している。第１下降流路２３１は、便鉢部２１０の下端後部から下方に延びており、下流に向けて後方に湾曲している。第１下降流路２３１の下流端部は後方に向けて開口している。
【００４０】
上昇流路２３３は第１下降流路２３１の下流端部の開口に連続している。上昇流路２３３は上方に向けて斜め後方に傾斜している。上昇流路２３３の下流端部は後方に向けて開口している。上昇流路２３３の前方を向いた外面と、便鉢部２１０の後方を向いた外面及び第１下降流路２３１の後方を向いた外面とは対向し、その間に隙間が形成されている。第２下降流路２３５は上昇流路２３３の下流端部の開口に連続している。第２下降流路２３５は下方に向けて斜め後方に傾斜している。第２下降流路２３５の下流端部は後方に向けて僅かに斜め下方に開口している。横引き流路２３７は第２下降流路２３５の下流端部の開口に連続している。横引き流路２３７は後方に向けて僅かに斜め下方に傾斜して延びている。横引き流路２３７の下流端部は後方に向けて僅かに斜め下方に開口している。このように、トラップ排水路２３０は便鉢部２１０よりも後方に延びている。
【００４１】
導水部２５０は、図１１に示すように、便鉢部２１０の上壁部１１の後部、底面部５１、左右面部５３、後面部２５５、及び上面部２５７に囲まれて形成されている。底面部５１の上面が導水部２５０の下面２５０Ａを形成している。導水部２５０の下面２５０Ａは左右両端縁から左右中央部２５１Ａに向けて下り傾斜している。導水部２５０の下面２５０Ａの左右中央部２５１Ａは前方に向けて下り傾斜している。後面部２５５は左右中央部に図示しない洗浄タンクの流出口に接続された分配菅が挿通される挿通孔２５５Ａが形成されている。上面部２５７は導水部２５０の上方を塞ぐように、便鉢部２１０の上壁部１１の後部、左右面部５３、及び後面部２５５の夫々の上端縁に連続している。上面部２５７は、水洗式大便器を設置した状態で、上面が水平に拡がるように形成されている。このように、この導水部２５０はトラップ排水路２３０よりも上方であって便鉢部２１０よりも後方に設けられている。また、この導水部２５０は、吐水口２１１Ａに連通しており、洗浄タンクの流出口に設けられた開閉弁が開閉して便器洗浄が実行された際、吐水口２１１Ａに供給される洗浄水が流通する。
【００４２】
水抜き通路２７０の流入口２７１は、図１１及び図１２に示すように、導水部２５０の下面２５０Ａに開口している。詳しくは、水抜き通路２７０の流入口２７１は、導水部２５０の下面２５０Ａの左右中央部２５１Ａの前端部に開口している。導水部２５０の下面２５０Ａの左右中央部２５１Ａは前方に向けて下り傾斜しているため、導水部２５０の下面２５０Ａの左右中央部２５１Ａの前端部は導水部２５０の下面２５０Ａの最下部であり、水抜き通路２７０の流入口２７１は導水部２５０の下面２５０Ａの最下部に開口している。吐水口２１１Ａが上壁部１１の左右中央よりも左側の後部に形成されているため、図１２に示すように、水抜き通路２７０の流入口２７１は吐水口２１１Ａを介して水洗式大便器の前方から視認することができない。
【００４３】
また、図１１及び図１２に示すように、水抜き通路２７０は便鉢部２１０の後壁部１３の後面の左右方向の中央部であって、後方を向いた外面に沿ってこの外面より外側に突出して上下方向に延びている。水抜き通路２７０の流出口２７９は、便鉢部２１０の溜水面Ｒより下方であって、トラップ排水路２３０の第１下降流路２３１の上部に開口している。水抜き通路２７０は、図１２に示すように、流入口２７１の左右幅よりも、中間部から下方の左右幅が広く形成されている。このため、図１３及び図１４に示すように、水抜き通路２７０は流入口２７１の開口面積よりも流出口２７９の開口面積の方が大きく形成されている。水抜き通路２７０の後面及び導水部２５０の底面部５１の下面に対向するトラップ排水路２３０の上面と、水抜き通路２７０の後面及び導水部２５０の底面部５１の下面との隙間はつながっている。
【００４４】
このような構成を有する水洗式大便器は、図示しない洗浄タンクの流出口に設けられた開閉弁を開閉して、便器洗浄を実行した際、開閉弁が閉弁し、導水部２５０を流れる洗浄水の勢いがある程度弱くなると、洗浄水が吐水口２１１Ａから吐水されずに水抜き通路２７０の流入口２７１から水抜き通路２７０に流入し、水抜き通路２７０を介して流出口２７９から便鉢部２１０の溜水面Ｒよりも下流側であってトラップ排水路２３０の第１下降流路２３１内に流出する。
【００４５】
＜実施例４＞
実施例４の水洗式大便器は、図１５に示すように、水抜き通路３７０の流出口３７９がトラップ排水路２３０の第１下降流路２３１の左右中央部よりも左側（図１５において左側）に開口している点が実施例３と相違する。実施例３と同様の構成は同一の符号を付して詳細な説明を省略する。
【００４６】
この水洗式大便器の水抜き通路３７０は、流入口３７１が導水部２５０の下面２５０Ａの左右中央部２５１Ａの前端部に開口し、流出口３７９が便鉢部２１０の溜水面Ｒより下方であって、トラップ排水路２３０の第１下降流路２３１の上部であって、左右中央部よりも左側に開口している。このため、水抜き通路３７０は中間部で左方向に傾斜する傾斜部を有している。
【００４７】
このような構成を有する水洗式大便器は、吐水口２１１Ａから吐水され便鉢部２１０を流下した洗浄水Ｆ１が、トラップ排水路２３０の流入部Ｘの近傍において、旋回流Ｆ３を形成する。水抜き通路３７０の流出口３７９が左右中央部よりも左側に開口しているため、流出口３７９から流出する洗浄水Ｆ２は、トラップ排水路２３０の流入部Ｘにおける旋回流Ｆ３を補助し、トラップ排水路２３０内へ汚物等を押し込む流れが強化される。このため、この水洗式大便器は便器洗浄能力（汚物等の排出力）が高められる。
【００４８】
以上説明したように、実施例１〜４の水洗式大便器は、便鉢部１０，２１０、トラップ排水路３０，２３０、導水部５０，２５０、及び水抜き通路７０，１７０，２７０，３７０を備えている。便鉢部１０，２１０は、便鉢部１０，２１０の上部である上壁部１１に洗浄水が吐水される吐水口１１Ａ、２１１Ａが形成されている。トラップ排水路３０，２３０は、便鉢部１０，２１０の下流側に連通し、便鉢部１０，２１０よりも後方に延びている。導水部５０，２５０はトラップ排水路３０，２３０よりも上方であって便鉢部１０，２１０よりも後方に設けられている。また、導水部５０，２５０は、吐水口１１Ａ、２１１Ａに連通しており、便器洗浄を実行した際に吐水口１１Ａ、２１１Ａに供給される洗浄水が流通する。水抜き通路７０，１７０，２７０，３７０は、導水部５０，２５０の下面５０Ａ、２５０Ａに流入口７１，１７１，２７１，３７１が形成され、便鉢部１０，２１０の外面に沿って延びており、便鉢部１０，２１０の溜水面Ｒより下方に流出口７９、２７９，３７９が形成されている。
【００４９】
このような水洗式大便器は、水抜き通路７０，１７０，２７０，３７０が便鉢部１０，２１０の外面に沿ってこの外面より外側に突出して延びているため、左右型で水抜き通路７０，１７０，２７０，３７０等を同時に鋳込み成形することができる。このため、鋳込み成形において上端部を閉鎖する上面部５７，２５７を一体に成形する一体成形の水洗式大便器にもこの水抜き通路７０，１７０，２７０，３７０を形成することができる。また、この水洗式大便器は、鋳込み成形用の型を少なくでき、鋳込み成形の工程も少なくすることができる。
【００５０】
したがって、実施例１〜４の水洗式大便器は、水抜き構造を有し、容易に製造することができる。
【００５１】
また、この水洗式大便器は、給水装置（洗浄タンク）の開閉弁が開閉して便器洗浄を実行した際、開閉弁が閉弁し、導水部５０，２５０を流れる洗浄水の勢いがある程度弱くなると、洗浄水が吐水口１１Ａ、２１１Ａから吐水されずに水抜き通路７０，１７０，２７０，３７０の流入口７１，１７１，２７１，３７１から水抜き通路７０，１７０，２７０，３７０に流入し、水抜き通路７０，１７０，２７０，３７０を介して流出口７９，２７９，３７９から便鉢部１０の溜水面Ｒよりも下流側であってトラップ排水路３０，２３０の第１下降流路３１，２３１内に流出するようになる。このため、この水洗式大便器は、便器洗浄が実行され、開閉弁が閉弁した後に吐水口１１Ａ、２１１Ａから僅かな流量の洗浄水が筋状に便鉢部１０，２１０の表面を流下することによって形成される筋状の水垢が便鉢部１０，２１０の表面に形成され難い。
【００５２】
また、実施例１及び２の水洗式大便器の吐水口１１Ａは、便鉢部１０の上壁部１１の後側の左右中央に開口している。また、この水洗式大便器の水抜き通路７０，１７０の流入口７１，１７１の少なくとも一部が導水部５０の下面５０Ａの左右中央部５１Ａの前端部に開口している。このため、この水洗式大便器は吐水口１１Ａから水抜き通路７０，１７０の流入口７１，１７１を視認することができる。また、この水洗式便器は、吐水口１１Ａの近くに水抜き通路７０，１７０の流入口７１，１７１が形成されているため、便器洗浄を実行した際、開閉弁が閉弁した後に導水部５０を流れる洗浄水の勢いがある程度弱くなると、洗浄水が吐水口１１Ａから吐水されずに水抜き通路７０，１７０の流入口７１，１７１に確実に流入し、導水部５０内に残水が残らない。このため、この水洗式便器は、吐水口１１Ａから残水の無い導水部５０内が視認され、見た目の良さ（品位）を保つことができる。
【００５３】
また、実施例１〜４の水洗式大便器の水抜き通路７０，１７０，２７０，３７０の流入口７１，１７１，２７１，３７１は導水部５０，２５０ の下面５０Ａ，２５０Ａの最下部に開口している。このため、この水洗式大便器は、便器洗浄を実行した際、給水装置（洗浄タンク）の開閉弁が閉弁して導水部５０，２５０を流れる洗浄水の勢いがある程度弱くなると、導水部５０，２５０内の洗浄水が流入口７１，１７１，２７１，３７１に集まり、確実に水抜き通路７０，１７０，２７０，３７０に流入させることができる。
【００５４】
また、実施例１及び２の水洗式大便器の水抜き通路７０，１７０の下流側通路７７は便鉢部１０の右方向を向いた外面及びトラップ排水路３０の第１下降流路３１の右方向を向いた外面に沿って上下方向に延びている。このため、この水洗式大便器は、便鉢部１０の後方を向いた外面及び第１下降流路３１の後方を向いた外面と、その外面に対向するトラップ排水路３０の上昇流路３３の前方を向いた外面との間隔が狭くても水抜き通路７０，１７０を設けることができる。
【００５５】
また、実施例１の水洗式大便器において、水抜き通路７０の左右方向に延びる中間通路７５は下側の外面７５Ａが前方に向けて下方に傾斜している。また、実施例２の水洗式大便器において、水抜き通路１７０の上流側通路１７３の下壁１７６は下側の外面１７６Ａが前方に向けて下方に傾斜している。このため、これら水洗式大便器は、左右方向に延びる中間通路７５の内部下面７５Ｂ及び上流側通路１７３の内部下面１７６Ｂを下流側に下り傾斜させることができるとともに、左右型で水抜き通路７０，１７０等を同時に鋳込み成形することができる。
【００５６】
また、実施例３及び４の水洗式大便器の水抜き通路２７０，３７０は流入口２７１，３７１の開口面積よりも流出口２７９，３７９の開口面積の方が大きい。このため、この水洗式大便器は、ラバーカップを利用して水抜き通路２７０，３７０の流出口２７９，３７９よりも下流側のトラップ排水路２３０内の詰まりを解除する際、トラップ排水路２３０から水抜き通路２７０，３７０を逆流して導水部２５０内に流入する汚水を少なくすることができる。
【００５７】
実施例４の水洗式大便器は水抜き通路３７０の流出口３７９から流出した洗浄水がトラップ排水路２３０の流入部Ｘにおける洗浄水の旋回流Ｆ３を補助する。このため、この水洗式大便器は、便鉢部２１０からトラップ排水路２３０へ汚物等がスムーズに流入するため、汚物等を確実に排出することができる。
【００５８】
本発明は上記記述及び図面によって説明した実施例１及び２に限定されるものではなく、例えば次のような実施例も本発明の技術的範囲に含まれる。
（１）実施例１及び２では、吐水口が便鉢部の後側の左右中央の上部に開口していたが、吐水口は便鉢部の上部であって左右に偏った位置に開口していてもよい。また、複数の吐水口が開口していてもよい。
（２）実施例１〜４では、流入口の少なくとも一部が導水部の下面の左右中央部に開口していたが、流入口は導水部の下面の左右中央部に開口していなくてもよい。
（３）実施例１〜４では、流入口が導水部の下面の最下部に開口していたが、流入口は導水部の下面であれば最下部でなくてもよい。
（４）実施例１及び２では、水抜き通路の下流側通路が便鉢部及びトラップ排水路の第１下降流路の右方向を向いた外面に上下方向に延びて形成されていたが、便鉢部及び第１下降流路の左方向を向いた外面に形成してもよい。また、便鉢部及び第１下降流路の後方を向いた外面と、その外面に対向するトラップ排水路の上昇流路の外面との間隔が広ければ、便鉢部及び第１下降流路の後面に水抜き通路を形成してもよい。
（５）実施例１では、水抜き通路が左右方向に延びる中間通路を有していたが、水抜き通路は上下方向に延びる通路のみで形成してもよい。
（６）実施例１〜４では、トラップ排水路が第１下降流路を有していたが、トラップ排水路は第１下降流路を有さず、便鉢部の下流側に上昇流路を連通させてもよい。
【符号の説明】
【００５９】
１０，２１０…便鉢部
１１Ａ，２１１Ａ…吐水口
３０，２３０…トラップ排水路
５０，２５０…導水部
５０Ａ，２５０Ａ…（導水部の）下面
７０，１７０，２７０，３７０…水抜き通路
７１，１７１，２７１，３７１…流入口
７９，２７９，３７９…流出口
Ｒ…溜水面
【図１】
2019210742.tif 000003
【図２】
2019210742.tif 000004
【図３】
2019210742.tif 000005
【図４】
2019210742.tif 000006
【図５】
2019210742.tif 000007
【図６】
2019210742.tif 000008
【図７】
2019210742.tif 000009
【図８】
2019210742.tif 000010
【図９】
2019210742.tif 000011
【図１０】
2019210742.tif 000012
【図１１】
2019210742.tif 000013
【図１２】
2019210742.tif 000014
【図１３】
2019210742.tif 000015
【図１４】
2019210742.tif 000016
【図１５】
2019210742.tif 000017